(57)【要約】【課題】  二つの液圧系統を有するＢＢＷ式ブレーキ装置において、一方の液圧系統の失陥時に他方の液圧系統の機能を確保する。【解決手段】  モータシリンダ２３が失陥してマスタシリンダが発生するブレーキ液圧で制動を行う際に、モータシリンダ２３の後部液室３９Ａに連なる第１の液圧系統が失陥して大気開放すると、マスタシリンダからモータシリンダ２３の前部液室３９Ｂを経てホイールシリンダに伝達される第２の液圧系統のブレーキ液圧で制動が行われる。このとき、マスタシリンダに連通する前部サプライポート４９Ｂと失陥により大気開放した後部液室３９Ａとの間に前向きの前部第３カップシールＣ５が配置されるので、マスタシリンダが発生したブレーキ液圧が前部サプライポート４９Ｂから後部液室３９Ａを介して漏れるのを前部第３カップシールＣ５により阻止し、モータシリンダ２３の前部液室３９Ｂに連なる第２の液圧系統による制動を確保することができる。【選択図】        図６
2011230765.tif 000002
【特許請求の範囲】
【請求項１】
運転者の制動操作によりブレーキ液圧を発生するマスタシリンダ（１１）と、
マスタシリンダ（１１）に連通するとともに、電気的に制御可能なアクチュエータ（３１）によりブレーキ液圧を発生する後部液室（３９Ａ）および前部液室（３９Ｂ）を有する電気的液圧発生手段（２３）と、
後部液室（３９Ａ）および前部液室（３９Ｂ）にそれぞれ連通して車輪を制動する制動力を発生する複数のホイールシリンダ（１６，１７，２０，２１）とを備え、
電気的液圧発生手段（２３）の失陥時にはマスタシリンダ（１１）が発生するブレーキ液圧でホイールシリンダ（１６，１７，２０，２１）を作動させるブレーキ装置であって、
電気的液圧発生手段（２３）は、
アクチュエータ（３１）により前進して後部液室（３９Ａ）および前部液室（３９Ｂ）にそれぞれブレーキ液圧を発生する後部ピストン（３８Ａ）および前部ピストン（３８Ｂ）と、
後部液室（３９Ａ）に形成されてマスタシリンダ（１１）に接続する後部入口ポート（４０Ａ）およびホイールシリンダ（１６，１７）に接続する後部出口ポート（４１Ａ）と、
後部入口ポート（４０Ａ）の後方に隣接して形成されてマスタシリンダ（１１）に接続する後部サプライポート（４９Ａ）と、
前部液室（３９Ｂ）に形成されてマスタシリンダ（１１）に接続する前部入口ポート（４０Ｂ）およびホイールシリンダ（２０，２１）に接続する前部出口ポート（４１Ｂ）と、
前部入口ポート（４０Ｂ）の後方に隣接して形成されてマスタシリンダ（１１）に接続する前部サプライポート（４９Ｂ）と、
後部ピストン（３８Ａ）の前端に前向きに配置された後部第１カップシール（Ｃ１）と、
後部ピストン（３８Ａ）の後端に前向きに配置された後部第２カップシール（Ｃ２）と、
前部ピストン（３８Ｂ）の前端に前向きに配置された前部第１カップシール（Ｃ３）と、
前部ピストン（３８Ｂ）の後端に後向きに配置された前部第２カップシール（Ｃ４）と、
を備え、
前記マスタシリンダ（１１）と前記ホイールシリンダ（１６，１７，２０，２１）との連通を前記後部ピストン（３８Ａ）および前記前部ピストン（３８Ｂ）がそれぞれ前進して前記後部入口ポート（４０Ａ）および前記前部入口ポート（４０Ｂ）を閉塞することにより遮断するように構成したものにおいて、
前記マスタシリンダ（１１）と前記後部入口ポート（４０Ａ）および前記前部入口ポート（４０Ｂ）との間に配置される遮断弁（２２Ａ，２２Ｂ）を常開型電磁弁で構成し、前記前部第２カップシール（Ｃ４）により前記後部液室（３９Ａ）から前記マスタシリンダ（１１）側へのブレーキ液の流出を阻止し、前部ピストン（３８Ｂ）の前部第２カップシール（Ｃ４）の前方に隣接して前向きに配置され、マスタシリンダ（１１）から前部入口ポート（４０Ｂ）または前部サプライポート（４９Ｂ）に供給されたブレーキ液が後部液室（３９Ａ）に流出するのを阻止する前部第３カップシール（Ｃ５）を設けたことを特徴とするブレーキ装置。
【発明の詳細な説明】
【技術分野】
【０００１】
本発明は、運転者の制動操作によりブレーキ液圧を発生するマスタシリンダと、電気的に制御可能なアクチュエータによりブレーキ液圧を発生する電気的液圧発生手段とを備えたブレーキ装置に関する。
【背景技術】
【０００２】
運転者の制動操作を電気信号に変換して電気的液圧発生手段を作動させ、この電気的液圧発生手段が発生するブレーキ液圧でホイールシリンダを作動させる、いわゆるＢＢＷ（ブレーキ・バイ・ワイヤ）式ブレーキ装置が、下記特許文献１により公知である。
【０００３】
ところで、この種のＢＢＷ式ブレーキ装置では、電気的液圧発生手段が失陥した場合に、マスタシリンダが発生するブレーキ液圧を直接ホイールシリンダに伝達して車輪を制動することで、フェールセーフ機能を発揮させるようになっている。しかも、マスタシリンダは二つの液圧系統に別個にブレーキ液圧を供給するタンデム式とされ，一方の液圧系統に漏れが発生した場合でも、他方の液圧系統で何れかの車輪を制動できるようになっている。
【０００４】
図７は、従来の電気的液圧発生手段（モータシリンダ２３）の構造を示すもので、シリンダ本体３６の内部に一対のリターンスプリング３７Ａ，３７Ｂで後退方向に付勢された後部ピストン３８Ａおよび前部ピストン３８Ｂが摺動自在に配置されており、後部ピストン３８Ａの前面に後部液室３９Ａが区画されるとともに、前部ピストン３８Ｂの前面に前部液室３９Ｂが区画される。
【０００５】
後部ピストン３８Ａの外周には後部液室３９Ａへの空気の侵入を防止するための後部リザーバ室３８ａが形成され、前部ピストン３８Ｂの外周には前部液室３９Ｂへの空気の侵入を防止するための前部リザーバ室３８ｂが形成される。後部液室３９Ａの後部入口ポート４０Ａと後部リザーバ室３８ａの後部サプライポート４９Ａとはマスタシリンダに連通し、後部液室３９Ａの後部出口ポート４１Ａはホイールシリンダに連通する。また前部液室３９Ｂの前部入口ポート４０Ｂと前部リザーバ室３８ｂの前部サプライポート４９Ｂとはマスタシリンダに連通し、前部液室３９Ｂの前部出口ポート４１Ｂはホイールシリンダに連通する。
【０００６】
後部ピストン３８Ａの前端には後部第１カップシールＣ１が前向き（前進時にシール機能を発揮するように）に設けられ、後部ピストン３８Ａの後端には後部第２カップシールＣ２が前向きに設けられる。前部ピストン３８Ｂの前端には前部第１カップシールＣ３が前向きに設けられ、前部ピストン３８Ｂの後端には前部第２カップシールＣ４が後向き（後進時にシール機能を発揮するように）に設けられる。
【先行技術文献】
【特許文献】
【０００７】
【特許文献１】特開２００３−１３７０８４号公報
【発明の概要】
【発明が解決しようとする課題】
【０００８】
ところで上記従来のモータシリンダ２３の構造では、モータシリンダ２３が失陥してマスタシリンダが発生するブレーキ液圧でホイールシリンダを作動させるとき、前部サプライポート４９Ｂがマスタシリンダに接続されているため、第１の液圧系統が失陥してモータシリンダ２３の後部液室３９Ａが大気開放してしまうと、マスタシリンダで発生したブレーキ液圧が前部サプライポート４９Ｂ→前部リザーバ室３８ｂ→前部第２カップシールＣ４→後部液室３９Ａの経路で漏洩してしまい、前部液室３９Ｂに連なる第２の液圧系統も同時に失陥してしまう可能性がある。
【０００９】
本発明は前述の事情に鑑みてなされたもので、二つの液圧系統を有するＢＢＷ式ブレーキ装置において、一方の液圧系統の失陥時に他方の液圧系統の機能を確保することを目的とする。
【課題を解決するための手段】
【００１０】
上記目的を達成するために、請求項１に記載された発明によれば、運転者の制動操作によりブレーキ液圧を発生するマスタシリンダと、マスタシリンダに連通するとともに、電気的に制御可能なアクチュエータによりブレーキ液圧を発生する後部液室および前部液室を有する電気的液圧発生手段と、後部液室および前部液室にそれぞれ連通して車輪を制動する制動力を発生する複数のホイールシリンダとを備え、電気的液圧発生手段の失陥時にはマスタシリンダが発生するブレーキ液圧でホイールシリンダを作動させるブレーキ装置であって、電気的液圧発生手段は、アクチュエータにより前進して後部液室および前部液室にそれぞれブレーキ液圧を発生する後部ピストンおよび前部ピストンと、後部液室に形成されてマスタシリンダに接続する後部入口ポートおよびホイールシリンダに接続する後部出口ポートと、後部入口ポートの後方に隣接して形成されてマスタシリンダに接続する後部サプライポートと、前部液室に形成されてマスタシリンダに接続する前部入口ポートおよびホイールシリンダに接続する前部出口ポートと、前部入口ポートの後方に隣接して形成されてマスタシリンダに接続する前部サプライポートと、後部ピストンの前端に前向きに配置された後部第１カップシールと、後部ピストンの後端に前向きに配置された後部第２カップシールと、前部ピストンの前端に前向きに配置された前部第１カップシールと、前部ピストンの後端に後向きに配置された前部第２カップシールとを備え、前記マスタシリンダと前記ホイールシリンダとの連通を前記後部ピストンおよび前記前部ピストンがそれぞれ前進して前記後部入口ポートおよび前記前部入口ポートを閉塞することにより遮断するように構成したものにおいて、前記マスタシリンダと前記後部入口ポートおよび前記前部入口ポートとの間に配置される遮断弁を常開型電磁弁で構成し、前記前部第２カップシールにより前記後部液室から前記マスタシリンダ側へのブレーキ液の流出を阻止し、前部ピストンの前部第２カップシールの前方に隣接して前向きに配置され、マスタシリンダから前部入口ポートまたは前部サプライポートに供給されたブレーキ液が後部液室に流出するのを阻止する前部第３カップシールを設けたことを特徴とするブレーキ装置が提案される。
【００１１】
尚、実施の形態のモータシリンダ２３は本発明の電気的液圧発生手段に対応する。
【発明の効果】
【００１２】
請求項１の構成によれば、電気的液圧発生手段が失陥してマスタシリンダが発生するブレーキ液圧でホイールシリンダを作動させる際に、電気的液圧発生手段の後部液室に連なる第１の液圧系統が失陥して大気開放すると、マスタシリンダから電気的液圧発生手段の前部液室を経てホイールシリンダに伝達される第２の液圧系統のブレーキ液圧で制動が行われる。このとき、マスタシリンダに連通する前部サプライポートと失陥により大気開放した後部液室との間に前向きの前部第３カップシールが配置されるので、前記マスタシリンダが発生したブレーキ液圧が前部サプライポートから後部液室を介して漏れるのを前部第３カップシールにより阻止し、電気的液圧発生手段の前部液室に連なる第２の液圧系統による制動を確保することができる。
【図面の簡単な説明】
【００１３】
【図１】参考例に係る車両用ブレーキ装置の正常時の液圧回路図
【図２】図１に対応する異常時の液圧回路図
【図３】図１の要部拡大図
【図４】実施の形態に係る車両用ブレーキ装置の正常時の液圧回路図
【図５】図４に対応する異常時の液圧回路図
【図６】図４の要部拡大図
【図７】従来のモータシリンダの断面図
【発明を実施するための形態】
【００１４】
以下、本発明の参考例および実施の形態を添付の図面に基づいて説明する。
【００１５】
図１〜図３は本発明の参考例を示すもので、図１は車両用ブレーキ装置の正常時の液圧回路図、図２は図１に対応する異常時の液圧回路図、図３は図１の要部拡大図である。
【００１６】
図１に示すように、タンデム型のマスタシリンダ１１は、運転者がブレーキペダル１２を踏む踏力に応じたブレーキ液圧を出力する二つの液室１３Ａ，１３Ｂを備えており、一方の液室１３Ａは液路Ｐａ，Ｐｂ，Ｐｃ，Ｐｄ，Ｐｅを介して例えば左前輪および右後輪のディスクブレーキ装置１４，１５のホイールシリンダ１６，１７に接続されるとともに、他方の液室１３Ｂは液路Ｑａ，Ｑｂ，Ｑｃ，Ｑｄ，Ｑｅを介して例えば右前輪および左後輪のディスクブレーキ装置１８，１９のホイールシリンダ２０，２１に接続される。
【００１７】
液路Ｐａ，Ｐｂ間に常開型電磁弁である遮断弁２２Ａが配置され、液路Ｑａ，Ｑｂ間に常開型電磁弁である遮断弁２２Ｂが配置され、液路Ｐｂ，Ｑｂと液路Ｐｃ，Ｑｃとの間にモータシリンダ２３が配置され、液路Ｐｃ，Ｑｃと液路Ｐｄ，Ｐｅ；Ｑｄ，Ｑｅとの間にＡＢＳ装置２４が配置される。
【００１８】
液路Ｑａから分岐する液路Ｒａ，Ｒｂには、常閉型電磁弁である反力許可弁２５を介してストロークシミュレータ２６が接続される。ストロークシミュレータ２６は、シリンダ２７にスプリング２８で付勢されたピストン２９を摺動自在に嵌合させたもので、ピストン２９の反スプリング２８側に形成された液室３０が液路Ｒｂに連通する。
【００１９】
モータシリンダ２３のアクチュエータ３１は、電動モータ３２の出力軸に設けた駆動ベベルギヤ３３と、駆動ベベルギヤ３３に噛合する従動ベベルギヤ３４と、従動ベベルギヤ３４により作動するボールねじ機構３５とを備える。モータシリンダ２３のシリンダ本体３６の内部に一対のリターンスプリング３７Ａ，３７Ｂで後退方向に付勢された一対のピストン３８Ａ，３８Ｂが摺動自在に配置されており、後部ピストン３８Ａの前面に後部液室３９Ａが区画されるとともに、前部ピストン３８Ｂの前面に前部液室３９Ｂが区画される。
【００２０】
図１および図３から明らかなように、後部液室３９Ａは、後部入口ポート４０Ａおよび後部出口ポート４１Ａを介してそれぞれ液路Ｐｂ，Ｐｃに連通するとともに、後部サプライポート４９Ａおよび液路Ｒｃおよび液路Ｒｅを介してリザーバ５０に連通する。前部液室３９Ｂは、前部入口ポート４０Ｂおよび前部出口ポート４１Ｂを介してそれぞれ液路Ｑｂ，Ｑｃに連通するとともに、前部サプライポート４９Ｂおよび液路Ｒｄおよび液路Ｒｅを介してリザーバ５０に連通する。
【００２１】
後部ピストン３８Ａの前端には後部第１カップシールＣ１が前向き（前進時にシール機能を発揮するように）に設けられ、後部ピストン３８Ａの後端には後部第２カップシールＣ２が前向きに設けられる。前部ピストン３８Ｂの前端には前部第１カップシールＣ３が前向きに設けられ、前部ピストン３８Ｂの後端には前部第２カップシールＣ４が後向き（後進時にシール機能を発揮するように）に設けられる。
【００２２】
後部ピストン３８Ａの中間部には後部第１、第２カップシールＣ１，Ｃ２に挟まれた後部リザーバ室３８ａが形成されており、この後部リザーバ室３８ａに後部サプライポート４９Ａが連通する。前部ピストン３８Ｂの中間部には前部第１、第２カップシールＣ３，Ｃ４に挟まれた前部リザーバ室３８ｂが形成されており、この前部リザーバ室３８ｂに前部サプライポート４９Ｂが連通する。
【００２３】
後部液室３９Ａは前向きの後部第１カップシールＣ１と後向きの前部第２カップシールＣ４とに挟まれて液密が確保され、また後部ピストン３８Ａの後部リザーバ室３８ａからの後方への液漏れは前向きの後部第２カップシールＣ２により阻止される。
【００２４】
モータシリンダ２３の非作動時に後部ピストン３８Ａの後部第１カップシールＣ１は後部入口ポート４０Ａの直後方に位置しており、後部ピストン３８Ａが僅かに前進すると後部第１カップシールＣ１が後部入口ポート４０Ａを通過して第１液室３９Ａにブレーキ液圧が発生する。モータシリンダ２３の非作動時に前部ピストン３８Ｂの前部第１カップシールＣ３は前部入口ポート４０Ｂの直後方に位置しており、前部ピストン３８Ｂが僅かに前進すると前部第１カップシールＣ３が前部入口ポート４０Ｂを通過して前部液室３９Ｂにブレーキ液圧が発生する。
【００２５】
しかして、電動モータ３２を一方向に駆動すると、駆動ベベルギヤ３３、従動ベベルギヤ３４およびボールねじ機構３５を介して後部、前部ピストン３８Ａ，３８Ｂが前進し、液路Ｐｂ，Ｑｂに連なる後部、前部入口ポート４０Ａ，４０Ｂが閉塞された瞬間に後部、前部液室３９Ａ，３９Ｂにブレーキ液圧を発生させ、そのブレーキ液圧を後部、前部出口ポート４１Ａ，４１Ｂを介して液路Ｐｃ，Ｑｃに出力することができる。
【００２６】
図１に示すように、ＡＢＳ装置２４の構造は周知のもので、左前輪および右後輪のディスクブレーキ装置１４，１５の系統と、右前輪および左後輪のディスクブレーキ装置１８，１９の系統とに同じ構造のものが設けられる。その代表として左前輪および右後輪のディスクブレーキ装置１４，１５の系統について説明すると、液路Ｐｃと液路Ｐｄ，Ｐｅとの間に一対の常開型電磁弁よりなるインバルブ４２，４２が配置され、インバルブ４２，４２の下流側の液路Ｐｄ，Ｐｅとリザーバ４３との間に常閉型電磁弁よりなるアウトバルブ４４，４４が配置される。リザーバ４３と液路Ｐｃとの間に、一対のチェックバルブ４５，４６に挟まれた液圧ポンプ４７が配置されており、この液圧ポンプ４７は電動モータ４８により駆動される。
【００２７】
遮断弁２２Ａ，２２Ｂ、反力許可弁２５、モータシリンダ２３およびＡＢＳ装置２４の作動を制御する不図示の電子制御ユニットには、マスタシリンダ１１が発生するブレーキ液圧を検出する液圧センサＳａと、ディスクブレーキ装置１８，１９に伝達されるブレーキ液圧を検出する液圧センサＳｂと、各車輪の車輪速を検出する車輪速センサＳｃ…とが接続される。
【００２８】
次に、上記構成を備えた本発明の参考例の作用について説明する。
【００２９】
システムが正常に機能する正常時には、常開型電磁弁よりなる遮断弁２２Ａ，２２Ｂが消磁されて開弁し、常閉型電磁弁よりなる反力許可弁２５が励磁されて開弁する。この状態で液路Ｑａに設けた液圧センサＳａが運転者によるブレーキペダル１２の踏み込みを検出すると、モータシリンダ２３のアクチュエータ３１が作動して後部、前部ピストン３８Ａ，３８Ｂが前進することで、後部、前部液室３９Ａ，３９Ｂにブレーキ液圧が発生する。このブレーキ液圧はＡＢＳ装置２４の開弁したインバルブ４２…を介してディスクブレーキ装置１４，１５，１８，１９のホイールシリンダ１６，１７，２０，２１に伝達され、各車輪を制動する。
【００３０】
モータシリンダ２３の後部、前部ピストン３８Ａ，３８Ｂが僅かに前進すると、後部、前部入口ポート４０Ａ，４０Ｂが閉塞されて液路Ｐｂ，Ｑｂと後部、前部液室３９Ａ，３９Ｂとの連通が遮断されるため、マスタシリンダ１１が発生したブレーキ液圧はディスクブレーキ装置１４，１５，１８，１９に伝達されることはない。このとき、マスタシリンダ１１の他方の液室１３Ｂが発生したブレーキ液圧は開弁した反力許可弁２５を介してストロークシミュレータ２６の液室３０に伝達され、そのピストン２９をスプリング２８に抗して移動させることで、ブレーキペダル１２のストロークを許容するとともに擬似的なペダル反力を発生させて運転者の違和感を解消することができる。
【００３１】
そして液路Ｑｃに設けた液圧センサＳｂで検出したモータシリンダ２３によるブレーキ液圧が、液路Ｑａに設けた液圧センサＳａで検出したマスタシリンダ１１によるブレーキ液圧に応じた大きさになるように、モータシリンダ２３のアクチュエータ３１の作動を制御することで、運転者がブレーキペダル１２に入力する踏力に応じた制動力をディスクブレーキ装置１４，１５，１８，１９に発生させることができる。
【００３２】
上述した制動中に、車輪速センサＳｃ…の出力に基づいて何れかの車輪のスリップ率が増加してロック傾向になったことが検出されると、常開型電磁弁よりなる遮断弁２２Ａ，２２Ｂを励磁して閉弁するとともにモータシリンダ２３を作動状態に維持し、この状態でＡＢＳ装置２４を作動させて車輪のロックを防止する。
【００３３】
即ち、所定の車輪がロック傾向になると、その車輪のディスクブレーキ装置のホイールシリンダに連なるインバルブ４２を閉弁してモータシリンダ２３からのブレーキ液圧の伝達を遮断した状態で、アウトバルブ４４を開弁してホイールシリンダのブレーキ液圧をリザーバ４３に逃がす減圧作用と、それに続いてアウトバルブ４４を閉弁してホイールシリンダのブレーキ液圧を保持する保持作用とを行うことで、車輪がロックしないように制動力を低下させる。
【００３４】
その結果、車輪速度が回復してスリップ率が低下すると、インバルブ４２を開弁してホイールシリンダのブレーキ液圧が増加させる増圧作用を行うことで、車輪の制動力を増加させる。この増圧作用により車輪が再びロック傾向になると、前記減圧、保持、増圧を再び実行し、その繰り返しにより車輪のロックを抑制しながら最大限の制動力を発生させることができる。その間にリザーバ４３に流入したブレーキ液は、液圧ポンプ４７により上流側の液路Ｐｃ，Ｑｃに戻される。
【００３５】
上述したＡＢＳ制御を実行している間、遮断弁２２Ａ，２２Ｂが閉弁状態に維持されることで、ＡＢＳ装置２４の作動による液圧変化がキックバックとなってマスタシリンダ１１からブレーキペダル１２に伝達されるのを防止することができる。
【００３６】
さて、電源の失陥等によりモータシリンダ２３が作動不能になると、モータシリンダ２３が発生するブレーキ液圧に代えて、マスタシリンダ１１が発生するブレーキ液圧による制動が行われる。
【００３７】
電源が失陥すると、図２に示すように、常開型電磁弁よりなる遮断弁２２Ａ，２２Ｂは自動的に開弁し、常閉型電磁弁よりなる反力許可弁２５は自動的に閉弁し、常開型電磁弁よりなるインバルブ４２…は自動的に開弁し、常閉型電磁弁よりなるアウトバルブ４４…は自動的に閉弁する。この状態では、マスタシリンダ１１の液室１３Ａ，１３Ｂにおいて発生したブレーキ液圧は、ストロークシミュレータ２６に吸収されることなく、遮断弁２２Ａ，２２Ｂ、モータシリンダ２３の後部、前部液室３９Ａ，３９Ｂおよびインバルブ４２…を通過して各車輪のディスクブレーキ装置１４，１５，１８，１９のホイールシリンダ１６，１７，２０，２１を作動させ、支障なく制動力を発生させることができる。
【００３８】
上述した異常時において、マスタシリンダ１１の一方の液室１３Ａから液路Ｐａ、遮断弁２２Ａ、液路Ｐｂ、モータシリンダ２３の後部液室３９Ａ、液路Ｐｃおよび液路Ｐｄ，Ｐｅを介して左前輪および右後輪のディスクブレーキ装置１４，１５のホイールシリンダ１６，１７に連なる第１の液圧系統が失陥してブレーキ液が漏れた場合、マスタシリンダ１１の他方の液室１３Ｂから液路Ｑａ、遮断弁２２Ｂ、液路Ｑｂ、モータシリンダ２３の前部液室３９Ｂ、液路Ｑｃおよび液路Ｑｄ，Ｑｅを介して右前輪および左後輪のディスクブレーキ装置１８，１９のホイールシリンダ２０，２１に連なる第２の液圧系統を作動させ、四輪のうちの少なくとも二輪に制動力を発生させてフェールセーフを可能にすることができる。
【００３９】
このとき、図７に示す従来例では前部サプライポート４９Ｂがリザーバ５０ではなくマスタシリンダ１１に接続されているため、第１の液圧系統が失陥してモータシリンダ２３の後部液室３９Ａが大気開放してしまうと、マスタシリンダ１１の液室１３Ｂに発生したブレーキ液圧が前部サプライポート４９Ｂ→前部リザーバ室３８ｂ→前部第２カップシールＣ４→後部液室３９Ａの経路で漏洩してしまい、前部液室３９Ｂに連なる第２の液圧系統も同時に失陥してしまう可能性がある。
【００４０】
しかしながら、図３に示す参考例では、前部サプライポート４９Ｂがリザーバ５０に接続されているため、第１の液圧系統が失陥してモータシリンダ２３の後部液室３９Ａが大気開放しても、マスタシリンダ１１の液室１３Ｂに発生したブレーキ液圧は前部サプライポート４９Ｂに伝達されず、従って前記ブレーキ液圧は前部リザーバ室３８ｂ→前部第２カップシールＣ４→後部液室３９Ａの経路で漏洩することはなく、前部液室３９Ｂに連なる第２の液圧系統が同時に失陥するのを防止することができる。
【００４１】
図４〜図６は本発明の実施の形態を示すもので、図４は車両用ブレーキ装置の正常時の液圧回路図、図５は図４に対応する異常時の液圧回路図、図６は図４の要部拡大図である。
【００４２】
参考例ではモータシリンダ２３の後部、前部サプライポート４９Ａ，４９Ｂをリザーバ５０に接続しているが、実施の形態では後部、前部サプライポート４９Ａ，４９Ｂを、図７に示す従来例と同様に、マスタシリンダ１１の一対の液室１３Ａ，１３Ｂに接続している。その代わりに、前部ピストン３８Ｂの前部第２カップシールＣ４の直前に、前部リザーブ室３８ｂの後端に臨む前向きの前部第３カップシールＣ５が配置される。
【００４３】
よって、異常時において、マスタシリンダ１１の一方の液室１３Ａから液路Ｐａ、遮断弁２２Ａ、液路Ｐｂ、モータシリンダ２３の後部液室３９Ａ、液路Ｐｃおよび液路Ｐｄ，Ｐｅを介して左前輪および右後輪のディスクブレーキ装置１４，１５のホイールシリンダ１６，１７に連なる第１の液圧系統が失陥してブレーキ液が漏れた場合、マスタシリンダ１１の他方の液室１３Ｂから液路Ｑａ、遮断弁２２Ｂおよび液路Ｑｂを介してモータシリンダ２３の前部液室３９Ｂおよび前部リザーブ室２８ｂにブレーキ液圧が伝達されても、前部リザーブ室２８ｂは前部第３カップシールＣ５により大気開放した後部液室３９Ａとの連通を遮断されているため、前部液室３９Ｂのブレーキ液圧が後部液室３９Ａを介して漏れることが防止され、前部液室３９Ｂに連なる第２の液圧系統が同時に失陥することはない。
【００４４】
以上、本発明の実施の形態を説明したが、本発明はその要旨を逸脱しない範囲で種々の設計変更を行うことが可能である。
【００４５】
例えば、実施の形態のブレーキ装置はＡＢＳ装置２４を備えているが、本発明はＡＢＳ装置２４を持たないブレーキ装置に対しても適用可能である。
【符号の説明】
【００４６】
１１        マスタシリンダ
１６        ホイールシリンダ
１７        ホイールシリンダ
２０        ホイールシリンダ
２１        ホイールシリンダ
２２Ａ      遮断弁
２２Ｂ      遮断弁
２３        モータシリンダ（電気的液圧発生手段）
３１        アクチュエータ
３８Ａ      後部ピストン
３８Ｂ      前部ピストン
３９Ａ      後部液室
３９Ｂ      前部液室
４０Ａ      後部入口ポート
４０Ｂ      前部入口ポート
４１Ａ      後部出口ポート
４１Ｂ      前部出口ポート
４９Ａ      後部サプライポート
４９Ｂ      前部サプライポート
Ｃ１        後部第１カップシール
Ｃ２        後部第２カップシール
Ｃ３        前部第１カップシール
Ｃ４        前部第２カップシール
Ｃ５        前部第３カップシール
【図１】
2011230765.tif 000003
【図２】
2011230765.tif 000004
【図３】
2011230765.tif 000005
【図４】
2011230765.tif 000006
【図５】
2011230765.tif 000007
【図６】
2011230765.tif 000008
【図７】
2011230765.tif 000009